(57)【特許請求の範囲】
【請求項１】
原料が炉頂バンカーから排出される際の排出挙動を計算する計算モデルによって原料の排出挙動を推定する排出挙動推定方法において、
前記炉頂バンカー内には複数の異なる種類の原料が装入され、
前記排出挙動は、前記炉頂バンカーから排出される原料中に含まれる所定種類の原料の含有率の経時変化を含み、
前記炉頂バンカー内の原料の傾斜角を求め、その傾斜角を用いて前記計算モデル内のパラメータの値を決定することを特徴とし、
前記傾斜角が、前記炉頂バンカーへの原料の装入が完了した時点の原料の斜面の角度（第１の角度）、および／または、装入された原料の前記炉頂バンカーの排出口からの排出を開始してからある遷移期間を経た後に安定して形成される、前記排出口の上方の位置から前記炉頂バンカーの側壁側に向かって上方に傾斜する原料の斜面の角度（第２の角度）であることを特徴とする高炉原料の排出挙動推定方法。
【請求項２】
前記傾斜角が、前記炉頂バンカーから原料を排出する際に優先して原料が排出されるラットホール領域のうち、前記ラットホール領域と隣接する領域との境界面の角度（第３の角度）を含み、
前記第３の角度が、予め定められた前記第１の角度と前記第３の角度との相関関係に基づいて、求めた前記第１の角度から推定されることを特徴とする請求項１に記載の高炉原料の排出挙動推定方法。
【請求項３】
前記炉頂バンカーの横断面における前記排出口の上方の位置から前記側壁までの範囲における複数の位置において、前記炉頂バンカーに装入された原料の表面の高さである表面レベルを測定し、
測定される前記表面レベルの差に基づき原料の傾斜角を求めることを特徴とする請求項１または２に記載の高炉原料の排出挙動推定方法。
【請求項４】
原料の斜面の３か所以上の位置で前記表面レベルを測定し、
２組以上の位置の前記表面レベルの差に基づき測定対象の斜面の傾斜角をそれぞれ求め、
求めた複数の傾斜角に基づき原料の傾斜角を決定することを特徴とする請求項３に記載の高炉原料の排出挙動推定方法。
【請求項５】
前記炉頂バンカー内に前記複数の異なる種類の原料が種類ごとに装入される場合に、
前記傾斜角が各原料の装入後の原料の斜面の傾斜角を含むことを特徴とする請求項１から４のいずれか１つに記載の高炉原料の排出挙動推定方法。
【請求項６】
前記炉頂バンカー内に前記複数の異なる種類の原料が種類ごとに装入される場合に、
前記傾斜角に加えて、原料の種類ごとの前記炉頂バンカー内における装入位置を求め、求めた装入位置も用いて前記計算モデル内のパラメータの値を決定することを特徴とする請求項１から４のいずれか１つに記載の高炉原料の排出挙動推定方法。
【請求項７】
炉頂バンカー内の原料の傾斜角を求める傾斜角検出部と、
原料が前記炉頂バンカーから排出される際の排出挙動を計算する計算モデルによって原料の排出挙動を計算する計算処理部と、
前記傾斜角から前記計算モデルに用いられているパラメータを決定するパラメータ決定部と、を備え、
前記炉頂バンカー内には複数の異なる種類の原料が装入され、
前記排出挙動は、前記炉頂バンカーから排出される原料中に含まれる所定種類の原料の含有率の経時変化を含むことを特徴とする高炉原料の排出挙動推定システム。
【請求項８】
前記傾斜角検出部が、前記炉頂バンカーへの原料の装入が完了した時点の原料の斜面の角度（第１の角度）および／または、装入された原料の前記炉頂バンカーの排出口からの排出を開始してからある遷移期間を経た後に安定して形成される、前記排出口の上方の位置から前記炉頂バンカーの側壁側に向かって上方に傾斜する原料の斜面の角度（第２の角度）を求め、
前記パラメータ決定部が、前記傾斜角検出部が求めた前記第１の角度および／または前記第２の角度を、前記計算モデル内のパラメータの決定に用いることを特徴とする請求項７に記載の高炉原料の排出挙動推定システム。
【請求項９】
前記炉頂バンカーから原料を排出する際に優先して原料が排出されるラットホール領域のうち、前記ラットホール領域と隣接する領域との境界面の角度（第３の角度）と、前記第１の角度との相関関係を予め定めておき、
前記パラメータ決定部は、前記相関関係に基づいて、求めた前記第１の角度に対応する、前記炉頂バンカーに装入された原料についての前記第３の角度を求め、求めた前記第１の角度と前記第３の角度とを前記計算モデルのパラメータの決定に用いることを特徴とする請求項８に記載の高炉原料の排出挙動推定システム。
【発明の詳細な説明】
【技術分野】
【０００１】
本発明はベルレス高炉において、炉頂バンカーに装入された原料が炉頂バンカーから排出される際の挙動を推定する方法に関し、特に異なる種類の原料が炉頂バンカーに装入される場合にそれぞれの原料がどのように炉頂バンカーから排出されるかを推定する方法に関する。
【背景技術】
【０００２】
高炉操業においては、高炉上部に配置される炉頂バンカーから鉄源である鉱石や還元材であるコークスが装入され、炉内に層状に堆積させる。鉄源として装入される原料には、焼結鉱や塊鉱石やペレットなど複数の種類（総称して、鉱石と呼ぶ。）が含まれる。さらに副原料や小中塊コークスなども鉱石とともに装入される場合がある。これら複数種類の原料を炉頂バンカーに装入する場合には、原料槽から複数種類の原料がそれぞれ切出され、原料の種類ごとに炉頂バンカーに装入され、装入される順番に炉頂バンカー内に堆積する。
【０００３】
炉頂バンカー内に堆積した原料は排出口から排出されて高炉に装入される。炉頂バンカーから原料が排出される場合、炉頂バンカー内の原料の流れは、排出口上方の領域の流れが速く、側壁側の流れが遅いファネルフローになる。そのため、複数種類の原料が層状に堆積している炉頂バンカーから原料を排出する場合、原料はバンカーに装入された順序では排出されず、各原料がどのようなタイミングで排出されるかを把握することは難しい。一方で、高炉に原料を装入する場合には所定の原料を高炉内の所定の位置に装入することで高炉内の装入物分布を制御する必要があるため、各原料の排出タイミングを把握して制御する必要がある。
【０００４】
そのため、模型実験や数学モデルにより原料排出のタイミングを推定あるいは制御することが行われている。たとえば、特許文献１では原料ホッパー内における原料装入位置とその原料の排出タイミングとの関係に基づき、特定のタイミングでペレットをホッパーから排出するように、ペレットを原料ホッパー内の所定位置に装入する原料装入方法を開示する。
【先行技術文献】
【特許文献】
【０００５】
【特許文献１】特開２００１−１９２７１４号公報
【発明の概要】
【発明が解決しようとする課題】
【０００６】
しかし、炉頂バンカーから排出される際の原料の排出挙動は、バンカーの形状、原料の装入量、原料の種類、原料の当座の特性（粒度分布、水分含有量など）によってさまざまに変化する。上記のような従来の原料の排出タイミングの予測方法や制御方法では、各原料の排出タイミングを精度よく予測することは困難であった。
【０００７】
そこで本発明は、高炉に装入される原料の炉頂バンカーからの排出挙動をより精度よく推定する方法を提供することを目的とする。
【課題を解決するための手段】
【０００８】
本発明は上記課題を解決するためになされたものであり、その発明の要旨とするところ
は以下のとおりである。
【０００９】
（１）原料が炉頂バンカーから排出される際の排出挙動を計算する計算モデルによって原料の排出挙動を推定する排出挙動推定方法において、
前記炉頂バンカー内には複数の異なる種類の原料が装入され、
前記排出挙動は、前記炉頂バンカーから排出される原料中に含まれる所定種類の原料の含有率の経時変化を含み、
前記炉頂バンカー内の原料の傾斜角を求め、その傾斜角を用いて前記計算モデル内のパラメータの値を決定することを特徴とし、
前記傾斜角が、前記炉頂バンカーへの原料の装入が完了した時点の原料の斜面の角度（第１の角度）、および／または、装入された原料の前記炉頂バンカーの排出口からの排出を開始してからある遷移期間を経た後に安定して形成される、前記排出口の上方の位置から前記炉頂バンカーの側壁側に向かって上方に傾斜する原料の斜面の角度（第２の角度）であることを特徴とする高炉原料の排出挙動推定方法。（１）によれば、上記目的を達成することができる。
【００１０】
（２）上記（１）の高炉原料の排出挙動推定方法において、前記傾斜角が、前記炉頂バンカーから原料を排出する際に優先して原料が排出されるラットホール領域のうち、前記ラットホール領域と隣接する領域との境界面の角度（第３の角度）を含み、前記第３の角度が、予め定められた前記第１の角度と前記第３の角度との相関関係に基づいて、求めた前記第１の角度から推定される。（２）によれば、より精度よく高炉原料の排出挙動を推定することができる。
【００１１】
（３）上記（１）または（２）の高炉原料の排出挙動推定方法において、前記炉頂バンカーの横断面における前記排出口の上方の位置から前記側壁までの範囲における複数の位置において、前記炉頂バンカーに装入された原料の表面の高さである表面レベルを測定し、測定される前記表面レベルの差に基づき原料の傾斜角を求めることができる。（３）によれば、計算モデルに必要な角度を精度よく求めることができる。
【００１２】
（４）上記（３）の高炉原料の排出挙動推定方法において、原料の斜面の３か所以上の位置で前記表面レベルを測定し、２組以上の位置の前記表面レベルの差に基づき測定対象の斜面の傾斜角をそれぞれ求め、求めた複数の傾斜角に基づき原料の傾斜角を決定することができる。（４）によれば、より正確に計算モデルに必要な角度を求めることができる。
【００１３】
（５）上記（１）〜（４）のいずれか１つの高炉原料の排出挙動推定方法において、前記炉頂バンカー内に前記複数の異なる種類の原料が種類ごとに装入される場合に、前記傾斜角が各原料の装入後の原料の斜面の傾斜角を含んでいてもよい。
【００１４】
（６）上記（１）〜（４）のいずれか１つの高炉原料の排出挙動推定方法において、前記炉頂バンカー内に前記複数の異なる種類の原料が種類ごとに装入される場合に、前記傾斜角に加えて、原料の種類ごとの前記炉頂バンカー内における装入位置を求め、求めた装入位置も用いて前記計算モデル内のパラメータの値を決定してもよい。
【００１５】
（７）炉頂バンカー内の原料の傾斜角を求める傾斜角検出部と、原料が前記炉頂バンカーから排出される際の排出挙動を計算する計算モデルによって原料の排出挙動を計算する計算処理部と、前記傾斜角から前記計算モデルに用いられているパラメータを決定するパラメータ決定部と、を備え、前記炉頂バンカー内には複数の異なる種類の原料が装入され、前記排出挙動は、前記炉頂バンカーから排出される原料中に含まれる所定種類の原料の含有率の経時変化を含むことを特徴とする高炉原料の排出挙動推定システム。（７）によれば、上記目的を達成することができる。
【００１６】
（８）上記（７）に記載の高炉原料の排出挙動推定システムにおいて、前記傾斜角検出部が、前記炉頂バンカーへの原料の装入が完了した時点の原料の斜面の角度（第１の角度）および／または、装入された原料の前記炉頂バンカーの排出口からの排出を開始してからある遷移期間を経た後に安定して形成される、前記排出口の上方の位置から前記炉頂バンカーの側壁側に向かって上方に傾斜する原料の斜面の角度（第２の角度）を求め、前記パラメータ決定部が、前記傾斜角検出部が求めた前記第１の角度および／または前記第２の角度を、前記計算モデル内のパラメータの決定に用いることができる。
【００１７】
（９）上記（８）の高炉原料の排出挙動推定システムにおいて、前記炉頂バンカーから原料を排出する際に優先して原料が排出されるラットホール領域のうち、前記ラットホール領域と隣接する領域との境界面の角度（第３の角度）と、前記第１の角度との相関関係を予め定めておき、前記計算処理部は、前記相関関係に基づいて、求めた前記第１の角度に対応する、前記炉頂バンカーに装入された原料についての前記第３の角度を求め、求めた前記第１の角度と前記第３の角度とを前記計算モデルのパラメータの決定に用いることができる。（９）によれば、より精度よく高炉原料の排出挙動を推定することができる。
【発明の効果】
【００１８】
本発明によれば、高炉に装入される原料の炉頂バンカーからの排出挙動をより精度よく推定する方法を提供することができる。排出挙動をより精度よく推定することで、特定の原料を高炉内の特定の場所に、より精度よく装入することができる。
【図面の簡単な説明】
【００１９】
【図１】並列バンカー式ベルレス装入装置の構成を示す模式図である。
【図２】実施形態における炉頂バンカー内の原料のレベル測定のためのレベル計の配置例を示す図である。
【図３】原料の排出挙動を計算するモデルを説明する図である。
【図４】原料の傾斜角αとβを求めるためのスライス模型の模式図である。
【図５】スライス模型を用いて求めた傾斜角αと傾斜角βとの関係を示すグラフである。
【図６】炉頂バンカー内の原料装入時と原料排出中における原料表面の形状を示す模式図である。
【図７】炉頂バンカー内の原料装入後と原料排出中における原料表面のレベルの変化を示す模式図である。
【図８】実施例の各ケースにおける原料の装入状態を示す模式図である。
【図９】実施例の各ケースにおける排出原料中のコークス含有量の変化を示す計算値と実測値のグラフである。
【発明を実施するための形態】
【００２０】
以下、図面を参照しながら、本発明の実施形態について説明する。
【００２１】
図１を参照して、本実施形態に係る高炉の原料装入装置の構成および装入方法について説明する。図１の原料装入装置は、高炉１０の炉頂部から焼結鉱やペレットや塊鉱石などの鉄源である鉱石と、還元材であるコークスとを交互に高炉１０に装入して炉内に層状に堆積させる装入装置である。図１の原料装入装置は炉頂バンカー５が並列に配置される並列バンカー式ベルレス装入装置である。
【００２２】
図１の原料装入装置は、原料槽１と、装入ベルトコンベア２と、切替シュート４と、炉頂バンカー５と、排出口６と、流量調整弁７と、集合ホッパー８と、旋回シュート９などを備え、さらに傾斜角検出手段としてのレベル計１２およびレベル測定制御部２０と、原料の排出挙動を計算する計算処理部３０と、計算処理部３０において原料の排出挙動を計算するモデル内に使用されているパラメータをレベル測定制御部２０から求められた傾斜角を使って決定するパラメータ決定部４０とを備える。レベル計１２およびレベル測定制御部２０等を含む傾斜角検出手段、パラメータ決定部４０および計算処理部３０によって、原料の排出挙動を推定する装置（システム）が構成される。
【００２３】
原料槽１は、高炉に装入する原料を原料の種類や粒度に応じてそれぞれ貯蔵する。原料装入装置を用いて高炉１０内に原料３を装入する場合には、各原料３を所定重量ずつ装入ベルトコンベア２上に切り出して、切替シュート４を介して炉頂バンカー５に供給する。供給された原料３は、炉頂バンカー５に一旦貯留される。貯留された原料３は、炉頂バンカー５の排出口６から流量調整弁７を通って集合ホッパー８に排出され、旋回シュート９によって炉内に装入される。流量調整弁７の開度を調整することで、排出口６から排出される原料の排出流量が調整される。旋回シュート９は供給された原料３を高炉１０の炉内の所望の位置に装入する。並列バンカー式ベルレス装入装置の場合、並列する複数のバンカーを用いて、焼結鉱などの鉱石とコークスを交互に炉内に装入し、鉱石の層とコークスの層を積層させて装入する。
【００２４】
上述の通り、炉頂バンカー５には、鉄源又はコークスが装入されるが、たとえば鉄源として炉頂バンカー５に装入する原料には、複数種類の原料が含まれる場合がある。具体的には、焼結鉱、塊鉱石、ペレットなどの各種鉱石、あるいは、副原料や小中塊コークスなどの鉱石以外の材料が挙げられる。以下の実施形態の説明においては、一例として、鉄源の原料として複数種類の原料が原料ごとに順番に炉頂バンカー５に装入され、その原料を炉頂バンカー５から排出する場合における原料の排出挙動を推定する方法について説明する。排出挙動が推定されることで、たとえば鉄源の原料として焼結鉱とコークスとが炉頂バンカー５に装入され、排出される場合に、どの程度の量のコークスがいつ排出されるか、といったことの推定が可能である。なお、還元材であるコークスについても、たとえば粒度が異なるコークスなど、種類の異なるコークスを種類ごとに炉頂バンカー５に順番に装入する場合には、そのコークスの排出挙動の推定に本実施形態の排出挙動の推定方法を当然適用できる。
【００２５】
（レベル測定制御部）
傾斜角検出手段（傾斜角検出部）であるレベル計１２とレベル測定制御部２０は、炉頂バンカー５内に装入された原料が形成する斜面の傾斜角を求めるための手段である。原料の傾斜角は、後述のように原料の排出挙動の推定に用いられる。本実施形態の傾斜角検出手段によって求めることができる傾斜角は、炉頂バンカー５への原料装入が完了した後、原料の排出が開始される前の時点において、堆積した原料が静止している状態の傾斜角（つまり安息角）と、原料の排出口６からの排出中に形成される原料の斜面の傾斜角（以下、動的傾斜角）とが含まれる。排出中の原料の動的傾斜角は原料が排出されることで変化するため、タイミングによって角度は異なる。
【００２６】
レベル計１２は、炉頂バンカー５内に装入された原料の、炉頂バンカー内における表面レベル（高さ）を測定する。本実施形態では、レベル計１２は炉頂バンカー内の原料の表面レベルを複数箇所で測定する。測定された複数箇所のレベルの差から原料の傾斜角が求められる。レベル計１２としては原料の表面レベルを連続的に測定できる装置であればどのような装置を用いてもよいが、たとえば非接触式のレーザー距離計やマイクロ波距離計などを用いることができる。なお、図１においてレベル計１２を右側の炉頂バンカー５にのみ示しているが、他の炉頂バンカー５にも同様にレベル計１２を配置して装入される原料の表面レベル測定処理を行ってよい。
【００２７】
レベル計１２が表面レベルを測定する複数箇所の位置は特に限定されない。炉頂バンカー５から排出する１回分の原料が原料槽１から切出されて炉頂バンカー５に装入された場合に、装入された原料の頂部となる位置の表面レベルと、頂部以外の１か所以上の位置の表面レベルを測定することが好ましい。
【００２８】
原料装入後の頂部の位置は、たとえば図１のような偏心型の炉頂バンカー５に対して切替シュート４から原料が装入される場合、炉頂バンカー５の横断面の中心よりも内側の側壁寄りの位置（炉頂バンカー５の装入口の下方位置）になる。原料装入後の表面形状がこのような形状となる場合には、原料頂部付近の位置と、頂部付近の位置よりもバンカー横断面の径方向外側の１か所または複数箇所における原料の表面レベルを測定することが好ましい。
【００２９】
測定箇所の一例を図２に示す。図２はレベル計１２によって炉頂バンカー５内の原料レベルを３か所で測定する場合を示す模式図である。図２の場合、レベル計Ａによって測定する原料頂部付近の第１の位置と、レベル計Ｂによる第１の位置よりも炉頂バンカー５の径方向外側の第２の位置と、レベル計Ｃによる第２の位置よりもさらに径方向外側の第３の位置の計３か所の位置の表面レベルが測定される。第１から第３の位置は、バンカーの径方向において、第１の位置からバンカー内壁（原料装入位置から遠い方のバンカーの側壁の内面）の位置までを等分する位置とすることができる。なお、図２ではレベル計１２を測定箇所の上方にそれぞれ配置しているが、各位置の原料のレベルを測定できるのであれば、レベル計１２自体はどこに配置されてもよい。また、１つのレベル計で複数個所のレベルを測定できるのであれば、レベル計１２は測定箇所の数だけ配置されなくてもよい。
【００３０】
レベル測定制御部２０は、レベル計１２を制御して原料の表面レベルの測定処理を実行させる。またレベル測定制御部２０は、複数点のレベルの測定値から測定対象の斜面の傾斜角を算出する。たとえば、２か所レベルを測定する場合には、レベル測定制御部２０はその２か所のレベルの差から傾斜角を求める。また３か所以上のレベルを測定する場合には、たとえば１つの斜面について２か所のレベル差から求められる複数の傾斜角に基づいて傾斜角を決めればよく、たとえば求めた複数の傾斜角の平均値を傾斜角とすることができる。レベル測定制御部２０は、たとえばプロセッサなどの処理部や記憶部（メモリ）等を備えるコンピュータでよい。なお傾斜角の算出処理は、レベル測定制御部２０以外の他のコンピュータや処理装置が行ってもよい。
【００３１】
（パラメータ決定部）
パラメータ決定部４０は、レベル計１２とレベル測定制御部２０によって求められる傾斜角の値から、計算処理部３０のモデル内のパラメータを決定する。パラメータ決定部４０は、プロセッサなどの処理部と、予め定められた傾斜角の値とモデル内のパラメータとの対応関係を記憶する記憶部等とを備えるコンピュータでよい。
（計算処理部３０）
計算処理部３０は、パラメータ決定部４０で定められた値を計算モデルに用いて、計算モデルにより原料の排出挙動を推定する処理装置である。計算処理部３０は、プロセッサなどの処理部と原料の排出挙動を計算する計算モデルのプログラム等を記憶する記憶部等を備えるコンピュータでよい。計算処理部３０は、当該プログラムを実行して後述のように原料の排出挙動を計算する。なお、計算処理部３０によって実現される機能の一部または全部がＡＳＩＣ等の処理回路によって実現されてもよい。
【００３２】
次に、上述の傾斜角検出手段によって求める原料の傾斜角に基づき、原料の排出挙動を推定する方法について説明する。本実施形態の原料の排出挙動の推定方法は、求めた傾斜角の値を原料の排出挙動を推定する計算モデルに適用して、計算モデル内のパラメータの値を決定し、炉頂バンカー５内に装入された各種原料それぞれの排出タイミングをより正確に推定するものである。以下、レベル測定により求めた傾斜角を適用可能な計算モデルを例示して、推定方法を具体的に説明する。なお、上述の通り計算モデルによる原料の排出挙動の計算処理は、計算処理部３０によって行われればよい。
【００３３】
（計算モデル１について）
まず１つ目の計算モデル１を用いて排出挙動を推定する方法について説明する。図３は、計算モデル１に用いるパラメータであるθ１からθ３の角度について説明する図である。本計算モデルは、Ｋａｏｒｕ  ＮＡＫＡＮＯ，  Ｋｏｈｅｉ  ＳＵＮＡＨＡＲＡ，  Ｔａｋａｎｏｂｕ  ＩＮＡＤＡ  「Ａｄｖａｎｃｅｄ  Ｓｕｐｐｏｒｔｉｎｇ  Ｓｙｓｔｅｍ  ｆｏｒ  Ｂｕｒｄｅｎ  Ｄｉｓｔｒｉｂｕｔｉｏｎ  Ｃｏｎｔｒｏｌ  ａｔ  Ｂｌａｓｔ  Ｆｕｒｎａｃｅ  Ｔｏｐ」  ＩＳＩＪ  Ｉｎｔｅｒｎａｔｉｏｎａｌ，  Ｖｏｌ．５０（２０１０），  Ｎｏ．７，ｐｐ．９９４−９９９に記載のモデルである。
【００３４】
図３（ａ）は、たとえばＡ〜Ｃの３種類の原料を、原料Ａ→原料Ｂ→原料Ｃの順で炉頂バンカー５に装入した場合の、堆積状態を示す断面模式図である。この場合、供給順に排出口側から原料Ａ、Ｂ、Ｃの順で炉頂バンカー５内に原料が堆積する。そして本計算モデルでは、このような順序で装入された原料が図３（ｂ）に示すような順序で排出されるものとしてパターン化し、炉頂バンカー５内の３種類の原料がどのようなタイミングで排出されるかを推定するモデルである。具体的には図３（ｂ）に示されるように、まず原料１として示す範囲にある原料が排出され、次に原料２として示す範囲にある原料が排出され、次に原料３として示す範囲にある原料が排出される、とするモデルである。なお、各原料（図３の場合はＡ〜Ｃの３種類）は、少なくとも隣接する原料同士が異なる種類の原料であることを意味し、すべて種類が異なる場合だけでなく、たとえば図３で原料ＡとＣが同じ原料であるような場合も含む。異なる種類の原料とは、排出の挙動が異なる原料であり、鉱石とコークスのように材料が異なる場合や、焼結鉱と塊鉱石のように同じ材料（鉱石）で種類が異なる場合や、同じ種類の材料（鉱石）でも粒度分布などの性状が異なる場合などが含まれる。
【００３５】
そして、本計算モデルでは排出挙動を計算するためのパラメータとして、上述の通りθ１、θ２、θ３の３つの角度を用いる。θ１（第１の角度）は原料装入後の原料の安息角である。θ２（第３の角度）は原料排出時の排出口上方のラットホール領域の境界部分の角度（ラットホール角）である。θ３は、原料排出中の原料崩壊角である。
【００３６】
θ１は、原料の安息角である。θ１は、上述の通り傾斜角検出手段によって原料レベルから求めることができる。
【００３７】
そして上述の通り、炉頂バンカー５から原料を排出する場合、原料は排出口６上方にある原料が側壁側の原料よりも先に排出されるいわゆるファネルフローで排出されるが、その排出口上方の原料が先に排出されるラットホール領域とそこに隣接する原料が残ってしまう領域との境界部分の角度であるラットホール角がθ２である。θ２は、あらかじめ原料の安息角と、原料を排出している際のラットホール角との相関関係を求めておき、傾斜角検出手段によって求めたθ１と当該相関関係とからθ２を求める。
【００３８】
図４は、安息角とラットホール角との相関関係を求める測定装置の一例を示す模式図である。図４の測定装置は炉頂バンカーと同様に、上方から装入された原料を下方から排出する機能を有する直方体状のスライス模型で、断面（透明な側壁部）から原料の堆積形状を透過して観察できる装置である。図４に示すように、スライス模型では右上から原料を装入し、左下の排出口から原料を排出する。
【００３９】
原料装入後の排出前の時点での原料の傾斜角αが安息角であり、原料をスライス模型に装入して原料が崩れずに堆積した状態における原料の斜面の角度である。傾斜角αは、図３に示した炉頂バンカー５に堆積した原料の傾斜角θ１に対応する。次に、スライス模型下部の排出口から原料を一定の流速で排出するとともにスライス模型上部から排出量と同量の原料を供給することで、原料の傾斜角が一定となる状態を作る。その一定となった傾斜角が原料排出中のラットホール角である傾斜角βである。傾斜角βが、図３に示した炉頂バンカー５での原料排出中のθ２に対応する。傾斜角αとβは、堆積した原料の表面が形成する斜面をスライス模型の断面（側面）を通して直接観察して測定して求められる。
【００４０】
このスライス模型を用いて傾斜角αとβの相関関係の算出例を説明する。まず、粒径が１〜５ｍｍの粒子を含むコークス粒子に対して１ｍｍ以下の粉コークスの重量比率を変化させた試料を複数種類用意する。そして試料を模型上部より装入し、装入後の傾斜角αを測定する。その後スライス模型の排出口から一定速度で試料を排出するとともに、模型上部から同量の試料を供給して原料の傾斜角が一定となる状態を作り、傾斜角βを測定する。この操作をそれぞれの試料について行い、各試料についてのαとβを求める。これらの測定結果から傾斜角αとβの相関関係を求めた。
【００４１】
図５は各試料についてのαとβの測定結果の一例を示すグラフである。このように、原料の安息角である傾斜角αと排出中のラットホール角である傾斜角βとは、傾斜角αが増加すると傾斜角βが低下する逆相関の関係にあることがわかる。
【００４２】
この相関関係を利用して実際の炉頂バンカー５における原料排出中のラットホール角に対応するθ２を求めることができる。つまり、まず上述のようにして傾斜角検出手段によって原料装入後に傾斜角θ１を求める。そして、図５に示すような予め求めた安息角αとラットホール角βとの相関関係から、求めたθ１に対応するθ２を求めることができる。
【００４３】
なお、図５に示すようなαとβの測定結果から相関関係を決定する場合には、図５において破線で示すように、測定した値から近似式を求めてその近似式を上記相関関係としてθ２の算出に用いてよい。この図５において破線で示す近似式を相関関係と定めた場合には、たとえば実際の炉頂バンカー５で測定されるθ１が４０度であった場合、θ２は約７７．５度と求めることができる。また、一例としてコークスの安息角とラットホール角との相関関係を求める場合を示したが、鉱石についてのθ２を求める場合には、鉱石の安息角とラットホール角との相関関係を同様の方法で求めればよい。
【００４４】
また、当該相関関係は所定の記憶領域に予め記憶されていればよく、たとえば計算処理部３０の記憶部に記憶されていてもよいし、ネットワークを介して計算処理部３０に接続されるサーバなどの他の記憶領域に記憶されていてもよい。計算処理部３０は原料の排出挙動の計算を行う際に、所定の記憶領域に記憶されている相関関係に基づいてθ２を求めることができる。
【００４５】
以上のようにして求められるθ１とθ２は、炉頂バンカーの形状等の設備条件や、原料の装入条件、あるいは原料の粒度分布、含有粉率、水分の変動に応じて変化する。したがって、本実施形態によれば、これらのさまざまな条件が変化してもその変化に対応したより適切なθ１やθ２を求めることができる。したがって、より適切なθ１やθ２を上述の計算モデルに用いて原料の排出挙動を推定することで、より精度よく原料の排出タイミングを求めることができる。なお炉頂バンカー５からの排出中における原料崩壊角であるθ３については、θ１やθ２の変動に関わらず予め決定した固定値を用いるが、上述のように条件の変化に応じたθ１とθ２を計算モデルに適用できるので、θ３が固定値であっても、より精度よく原料の排出挙動を求めることができる。
【００４６】
なお、計算モデル内のパラメータの値を決定するために用いる情報としては、さらに、複数の原料それぞれの装入時点の斜面の傾斜角（安息角）や、装入位置（バンカー内において各原料が存在する範囲）の情報を用いてもよい。各原料の傾斜角は、たとえば図３（ａ）のように１回の炉頂バンカーへの原料装入で、原料Ａ、Ｂ、Ｃが順に装入される場合において、各原料の装入後に表面レベルを測定して求められる角度である。また、各原料の装入位置とは、各原料がバンカー内で堆積しているレベルの範囲である。各原料の装入中にレベル計１２によってレベルを連続的に測定することで、各原料の装入前後のレベルの変化から各原料が堆積している範囲を特定することができる。各原料の装入のタイミングは、原料槽１から切出される原料の順番や量から算出できる。
【００４７】
各原料の装入時点の傾斜角や装入位置も用いて計算モデルのパラメータの値を決定することで、さらに精度よく原料の排出挙動を推定することができる。
【００４８】
（計算モデル２について）
次に、２つ目の計算モデル２を用いる場合の原料の排出挙動の推定方法について説明する。計算モデル２は、離散要素法（ＤＥＭ；Discrete Element Method）を用いて原料の排出挙動を推定するものである。ＤＥＭは、個々の粒子運動を運動方程式に基づいて求める手法であり、当該手法により炉頂バンカー５から排出される原料全体についての排出挙動を求める。
【００４９】
炉頂バンカー５からの原料の排出挙動の推定処理についてのＤＥＭの適用については、たとえば、Ｈｉｒｏｓｈｉ  Ｍｉｏ，  Ｍａｓａｔｏｍｏ  Ｋａｄｏｗａｋｉ，  Ｓｈｉｎｒｏｋｕ  Ｍａｔｓｕｚａｋｉ，  Ｋａｚｕｙａ  Ｋｕｎｉｔｏｍｏ  「Ｄｅｖｅｌｏｐｍｅｎｔ  ｏｆ  ｐａｒｔｉｃｌｅ  ｆｌｏｗ  ｓｉｍｕｌａｔｏｒ  ｉｎ  ｃｈａｒｇｉｎｇ  ｐｒｏｃｅｓｓ  ｏｆ  ｂｌａｓｔ  ｆｕｒｎａｃｅ  ｂｙ  ｄｉｓｃｒｅｔｅ  ｅｌｅｍｅｎｔ  ｍｅｔｈｏｄ」  Ｍｉｎｅｒａｌ  Ｅｎｇｉｎｅｅｒｉｎｇ  ３３（２０１２）２７−３３に記載されている。ＤＥＭを用いた本計算モデル２では、傾斜角検出手段によって原料排出中の原料の斜面の傾斜角を求め、その値を用いてより精度よく原料の排出挙動を求めることができる。
【００５０】
具体的には、まず図６（ａ）に示すように原料装入後、排出開始前には原料はその安息角で堆積する。この角度は計算モデル１の説明においても示した傾斜角θ１である。その後原料排出を開始するとある遷移期間を経過した後、図６（ｂ）に示すように原料の傾斜角がほぼ一定に維持された表面形状のまま、全体の表面レベルが低下していく時間（期間）がある。この傾斜角が一定に保たれる際の傾斜角θ４（第２の角度）が動的傾斜角である。本計算モデル２においては、この傾斜角θ１および／または傾斜角θ４を用いて、ＤＥＭモデル中に用いられているパラメータを決定する。
【００５１】
具体的な計算モデルへの適用方法は、まずレベル計１２とレベル測定制御部２０によって原料の複数箇所における表面レベルを連続的に測定する。まず、排出開始前に原料の安息角θ１を測定する。続いて、排出を開始して遷移期間経過後にある期間一定の傾斜角となる斜面についての複数箇所のレベル測定値から、上述の動的傾斜角θ４を求める。さらに、安息角θ１から前述の計算モデル１で示した方法によってラットホール角を推定する。これら安息角、動的傾斜角およびラットホール角のいずれかまたは複数の傾斜角を用いて、ＤＥＭモデル内で用いられている摩擦係数などのパラメータをフィッティングする。フィッティングでは、たとえば摩擦係数の値を適宜変化させてバンカー内の原料の動きをシミュレーションし、前記傾斜角が最もよく再現する値に決定する。フィッティングに用いる傾斜角の個数に相当する個数のＤＥＭモデル内で用いられるパラメータをフィッティングできる。従って、フィッティングに用いる傾斜角の個数が多いほどＤＥＭモデルの精度が向上する。また、上述の各原料の装入時点の傾斜角や装入位置のデータも用いてＤＥＭモデル内の摩擦係数等のパラメータをフィッティングしてもよい。
【００５２】
ここで、実際に図１に示す方式の原料装入装置の炉頂バンカー５に原料を装入し、レベル計１２によって原料の表面レベルの測定を行った結果について説明する。表面レベルの測定は、５３７０ｍ３の容積の高炉に用いられる炉頂バンカーの５．６分の１縮尺の炉頂バンカー５を用いて行った。レベル計１２は、図２に示したように、原料３を炉頂バンカー５に装入した場合に頂部となる位置であり、且つ、排出口６の上方の位置の表面レベルを測定するレベル計Ａと、レベル計Ａよりも炉頂バンカー５の横断面の径方向外方の位置の表面レベルを測定するレベル計Ｂと、レベル計Ｂよりもさらに外方の位置の表面レベルを測定するレベル計Ｃとを用いた。なお、測定位置は、上述のようにバンカーの径方向においてレベル計Ａの測定位置と炉頂バンカー５の内壁までを等分した位置であるが、必ずしも等分した位置である必要はなく、複数箇所で表面レベルが測定できればよい。
【００５３】
装入する原料には焼結鉱を用いた。以下の表１に示すように、同じ焼結鉱の原料について、流量調整弁７の開度を変えてそれぞれレベルの変化を測定した。すなわち、サンプル１と２では共通の原料について排出中の弁開度を変えてレベルの変化を測定した。いずれのサンプルも、粒径が２ｍｍ以上１０ｍｍ以下の焼結鉱が混ざった原料である。
【００５４】
【表１】
0006361334.tif 000002
【００５５】
図７に測定結果のグラフを示す。図７のグラフは、炉頂バンカー５における径方向のレベル測定位置（横軸）と原料の表面レベル（縦軸）との関係を示す。図７（ａ）はサンプル１についての測定結果であり、図７（ｂ）はサンプル２についての測定結果である。図７において、レベル計Ａによる測定値を白丸（○）で示し、レベル計Ｂによる測定値を黒丸（●）で示し、レベル計Ｃによる測定値を四角（□）で示す。
【００５６】
図７に示すように、Ａ〜Ｃのレベル計１２によって各位置の原料の表面レベルを測定することで、斜面の傾斜角など表面形状を把握できることがわかる。そして図７において、サンプル１と２では、グラフにも示すように原料装入後の排出前の０秒の時点で測定されるレベルから求められる傾斜角θ１はほぼ同じであった。
【００５７】
また、原料排出開始後は、排出口６の上方のレベル計Ａで測定される領域はラットホール領域となるため、レベル計ＢやＣで測定される領域よりも先にレベルが低下していくことがわかる。排出開始からある程度時間が経過すると（つまり遷移期間経過後）、図６（ｂ）で示すような、排出口６の上方の位置からバンカー内壁（排出口から遠い側の内壁）に向かって上方に傾斜する傾斜面を形成し、一定の傾斜角を維持しながら表面レベル全体が低下していることがわかる。この一定の傾斜角が維持されている際の斜面の複数箇所のレベルから求められる傾斜角が本計算モデル２に用いられる動的傾斜角θ４である。
【００５８】
サンプル１と２で動的傾斜角θ４はほぼ同じであった。具体的にはサンプル１の３０秒経過時から５０秒経過時頃までの動的傾斜角とサンプル２の３０秒前後における動的傾斜角とがほぼ同じ傾斜角となった。同じ原料同士であれば、流量調整弁７の開度が変化しても表面形状の変化のしかたの違いは小さく、ほぼ同じ動的傾斜角をとる。
【００５９】
以上に説明したように、レベル計１２を用いて複数箇所の表面レベルを測定することで、炉頂バンカー５に装入された原料が遷移期間経過後に形成する斜面の動的傾斜角θ４を求めることができることがわかる。
【００６０】
以上の本実施形態の推定方法（システム）によれば、炉頂バンカー５に装入された原料の排出前の安息角や、その安息角とあらかじめ定めた相関関係とから求められるラットホール角や、原料排出中にある遷移期間経過後に傾斜が一定となった際の斜面の動的傾斜角を求めて、これらの角度を用いて原料の排出挙動を推定する計算モデルに用いられているパラメータの値を決定できる。
【００６１】
求めた傾斜角を計算モデルに適用してモデル内のパラメータを決定することで、炉頂バンカーの形状等の設備条件や、原料の粒度分布や粉率や重量の変化や水分の変化などの原料の条件などが変化しても、その変化に応じた値（角度）が適用され、パラメータの値が決定されるため、より正確に原料の排出挙動を推定することができる。
【００６２】
そして、各原料の排出タイミングをより精度よく求めることができることで、その推定されるタイミングに基づいて、切替シュート９の角度等を制御して原料の高炉への装入を行うことで、所望の位置に所望の原料を装入することができる。
【実施例】
【００６３】
（計算モデルによる特定原料の排出量の経時変化の推定）
以下、本発明を実施例によってより詳細に説明するが、本発明は以下の実施例に限定されない。本実施例は、鉄源の原料として鉱石とコークスの両方を含む原料を炉頂バンカー５に装入して実際に排出した場合に、排出される原料中に含まれるコークスの量（含有率）の経時変化を計算モデルによって求めた。そして、実際に排出原料を一定間隔でサンプリング（採取）してコークスの含有量を測定した実測値と、当該計算モデルによって求めた計算値とを比較した。計算モデルには、一例として本発明の方法によって求めた原料の傾斜角θ１とラットホール角であるθ２を利用した計算モデル１を用いた。
【００６４】
具体的には、まず、図８の（ａ）〜（ｃ）に示すように各種原料を炉頂バンカー５に堆積させた。炉頂バンカー５は、高炉に用いられる５３７０ｍ３の容積の炉頂バンカーの５．６分の１縮尺の炉頂バンカーを用いて行った。図８（ａ）のケース１は、最初にコークスを装入し、次に鉱石を堆積させた。図８（ｂ）のケース２は、鉱石、コークス、鉱石の順番で原料を装入した。図８（ｃ）のケース３は、鉱石を装入後、コークスを装入した。ケース１〜３の各原料の供給順序と重量は以下の表２に示すとおりであり、鉱石とコークスの装入量は各ケース同じで装入順序を変更したものである。
【００６５】
【表２】
0006361334.tif 000003
【００６６】
そして、各ケースについてまず原料装入後の安息角であるθ１を、レベル計１２とレベル測定制御部２０により求めた。そして、あらかじめ定めた安息角と原料排出中のラットホール角との相関関係（上述の傾斜角αと傾斜角βの相関関係）に基づき、求められたθ１に対応するθ２をそれぞれのケースについて求めた。求めたθ１およびθ２と、あらかじめ定められる固定のパラメータであるθ３の値を用いて、計算モデル１によって原料排出挙動を計算した。
【００６７】
そして、ケース１〜３について計算モデルによって求められる原料の排出挙動から、排出原料に含まれるコークス含有量の計算モデルによる値と実測値を図９（ａ）〜（ｃ）のグラフに示す。図９（ａ）はケース１についてのグラフであり、図９（ｂ）はケース２についてのグラフであり、図９（ｃ）はケース３についてのグラフである。縦軸が各タイミングで排出される原料中に含まれるコークスの含有量（wt%）であり、横軸が排出開始時を０とし、原料の排出終了時を１とした場合の無次元の時間経過を示す。
【００６８】
図９に示すように、計算モデルによる計算値はいずれのケースについても、実測でコークスが含まれることが測定されたタイミング付近で、コークスが排出されていることが算出されている。したがって、計算モデルによって原料の排出挙動をより精度よく推定できたことがわかる。
【符号の説明】
【００６９】
１      原料槽
２      装入ベルトコンベア
３      原料
４      切替シュート
５      炉頂バンカー
６      排出口
７      流量調整弁
８      集合ホッパー
９      旋回シュート
１０    高炉
１２    レベル計
２０    レベル測定制御部
３０    計算処理部
４０    パラメータ決定部
【図１】
0006361334.tif 000004
【図２】
0006361334.tif 000005
【図３】
0006361334.tif 000006
【図４】
0006361334.tif 000007
【図５】
0006361334.tif 000008
【図６】
0006361334.tif 000009
【図７】
0006361334.tif 000010
【図８】
0006361334.tif 000011
【図９】
0006361334.tif 000012